(57)【要約】  多言語の体外式除細動器は、プロンプトを出すのに利用可能ないくつかの言語のうちの１つを選択するように、救助の間、救助者によって操作可能である。デフォルトの言語で第１プロンプトを出した後、プロンプトに第２言語を選択するようにユーザが除細動器の特定の制御部を操作する指示をする第２プロンプトが、前記第２言語で出される。ユーザが、第２プロンプトの後の所定の期間内に特定の制御を作動させることによって応答する場合、除細動器は、第２言語で次のプロンプトを出す。代替として、及びオプションとして、ユーザが第１プロンプトにより指示される動作をうまく実行する場合、除細動器は、第１言語で次のプロンプトを出すことを継続する。ユーザが不注意で第２言語に切り替える場合、ユーザは、オプションとして、第１言語でのプロンプトに復帰するように除細動器の制御部を動作させるための追加の期間を与えられる。
2010508941.tif 000002
【特許請求の範囲】
【請求項１】
患者に電気療法を与える体外式除細動器であって、
第１言語及び第２言語の除細動器の動作に関連する指示情報を示すデータを記憶するメモリと、
前記第１言語又は前記第２言語の前記指示情報を示す前記データを選択的に取り出すように、前記メモリに結合される制御器と、
選択された言語でプロンプトを出す、前記制御器に結合される出力装置と、
前記除細動器の特定のユーザ制御部を操作することにより第２言語を選択するようにユーザに指示する前記第２言語のプロンプトを前記制御器及び前記出力装置に出させる、前記制御器によって動作可能な制御シーケンスと
を有し、
所定の期間内における前記特定のユーザ制御部の操作により、前記制御器及び前記出力装置が第２言語で後続のプロンプトを出す、対外式除細動器。
【請求項２】
前記出力装置が、スピーカを含み、前記プロンプトが、可聴プロンプトを含む、請求項１に記載の体外式除細動器。
【請求項３】
前記第１言語が、前記除細動器のデフォルト言語を含み、
前記制御シーケンスが、前記制御器及び前記出力装置に、前記ユーザに動作の実行を指示する第１プロンプトを前記第１言語で出させるように更に動作可能である、請求項２に記載の体外式除細動器。
【請求項４】
前記動作の実行により、前記制御器及び前記出力装置が前記デフォルト言語で後続のプロンプトを出す、請求項３に記載の体外式除細動器。
【請求項５】
前記除細動器の前記特定のユーザ制御部が、言語選択に加えて他の機能のために使用される多機能制御部を含む、請求項１に記載の体外式除細動器。
【請求項６】
前記多機能制御部が、前記所定の期間、言語選択のために起動される、請求項５に記載の体外式除細動器。
【請求項７】
前記多機能制御部が、前記所定の期間において強調される、請求項６に記載の体外式除細動器。
【請求項８】
前記所定の期間が、前記第２言語で前記プロンプトを出したすぐ後である、請求項７に記載の体外式除細動器。
【請求項９】
前記除細動器の前記特定のユーザ制御部は、言語選択のみのために使用されるユーザ制御部を更に含む、請求項１に記載の体外式除細動器。
【請求項１０】
前記制御器及び前記出力装置に第２言語で後続のプロンプトを出させる前記特定のユーザ制御部の動作の後、前記特定のユーザ制御部が、前記制御器及び前記出力装置に前記第１言語で後続のプロンプトを出させるユーザ操作に応答する、請求項１に記載の体外式除細動器。
【請求項１１】
前記特定のユーザ制御部が、前記制御器及び前記出力装置に第１言語で後続のプロンプトを出させるため、第２の所定の期間の間、ユーザ操作に応答する、請求項１０に記載の体外式除細動器。
【請求項１２】
前記制御器及び前記出力装置に第２言語で後続のプロンプトを出させる前記特定のユーザ制御部の動作の後、前記特定のユーザ制御部を操作することによって前記第１言語を選択するように前記ユーザに第１言語で指示するプロンプトを前記制御器及び前記出力装置に出させるため、前記制御シーケンスが、更に動作可能である、請求項１１に記載の体外式除細動器。
【請求項１３】
体外式除細動器によりプロンプトを出すことに利用可能な複数の言語のうちの１つを選択する方法であって、
前記除細動器を起動するステップと、
前記除細動器の特定のユーザ制御部を操作することによってユーザに第２言語を選択するように指示するプロンプトを、前記除細動器により前記第２言語で出すステップと、
所定の期間内に前記除細動器の前記特定のユーザ制御部の操作に応答して出すプロンプトに前記第２言語を使用するステップと
を含む方法。
【請求項１４】
前記ユーザに動作を実行するように指示する第１プロンプトを第１言語で出すステップを更に含む、請求項１３に記載の方法。
【請求項１５】
前記動作の実行の後、前記第１言語で後続のプロンプトを出すステップを更に含む、請求項１４に記載の方法。
【請求項１６】
前記所定の期間、前記特定のユーザ制御部の言語選択を可能にするステップを更に含み、
前記特定のユーザ制御部が、他の期間において、言語選択以外に使用するように動作可能である、請求項１３に記載の方法。
【請求項１７】
前記特定のユーザ制御部の操作による前記第２言語の選択の後、前記特定のユーザ制御部の第１言語の選択を可能にするステップを更に含む、請求項１３に記載の方法。
【請求項１８】
前記特定のユーザ制御部の前記第１言語の選択を可能にすることに関連して、前記特定のユーザ制御部を操作することにより前記第１言語を選択するため、前記除細動器により前記第１言語でプロンプトを出すステップを更に含む、請求項１７に記載の方法。
【請求項１９】
第２の所定の期間における、前記特定のユーザ制御部の前記第１言語の選択を可能にする、請求項１７に記載の方法。
【請求項２０】
前記出力装置が、音響スピーカ及び視覚的ディスプレイのうちの少なくとも１つを有する、請求項１に記載の体外式除細動器。
【発明の詳細な説明】
【技術分野】
【０００１】
本発明は、使用のために配置されるとき、動作する言語が容易に変更され得る体外式除細動器に関する。
【背景技術】
【０００２】
突然の心停止（「ＳＣＡ」）は、しばしば前兆もなく発生し、心臓疾患の病歴のない人々を襲う。米国のみで１日１０００人以上が、突然の心停止の犠牲者であると推定される。ＳＣＡは、結果として心臓の電気的要素が異常な洞リズムを引き起こし、もはや適切に機能しなくなる。心室細動（「ＶＦ」）として知られるこのような異常な洞リズムは、心臓の異常且つ非常に速い電気的活動によって生じる。その結果、心臓は、体中の血液を適切にポンピングできない。ＶＦは、除細動器を使用して患者の心臓に電気ショックを加えることによって治療され得る。除細動器は、手動除細動器、自動又は半自動の体外式除細動器（「ＡＥＤ」）及び除細動器／モニタの組合せを含む。除細動器からのショックは、瞬間的な不全収縮と、心臓の自然なペースメーカ領域に対する正常な周期的機能を回復する機会とを生成することにより、（「除細動」と呼ばれる過程において）心臓の異常な電気的活動を取り除く。しかしながら、心臓が２、３分より長く血液をポンピングしなかった場合に、患者が蘇生しない又は回復不能な脳外傷を負う可能性が高まるので、ＶＦの発症後の素早い対応は決定的である。
【０００３】
従来除細動器は、もっぱら病院において、除細動器の使用及びＳＣＡとなった人の蘇生の広範囲な訓練をした救急医療関係者によって使用された。しかし、ここ数年間、除細動器は、より携帯型になり、ＶＦで苦しむ人と最初に接触する、ほとんど又はまったく正式な医学訓練を受けていない個人の手に移動し始めた。ＡＥＤは、現在米国では誰でも購入することが可能である。その結果、かつて病院環境のみにおいて利用可能であり、医学的に訓練された人員によって操作された器材は、現在、病院ではない環境において警官、客室乗務員及び警備員によって、少し例を挙げれば、応急手当の処置の第一線の活動の一部として使用されている。この器材を利用する利点は、ＳＣＡの犠牲者がＶＦの決定的な最初の数分以内に救命ショックを受ける見込みがより高まることである。もちろん、ほとんど又はまったく医学訓練を受けていない、最初に患者と接触する個人は、これを使って救助する間、ショック療法を与えるため、除細動器の使用について指示されることを必要とする。これらの除細動器は、ほとんど自動的で、ほとんどユーザの介入なしで動作するように設計され、しばしば除細動器の動作中に音声及びテキストのプロンプトを医学的に訓練されていないユーザに提供する。除細動器の動作中にユーザに音声及びテキストのプロンプトを与えることは、除細動器を使用する前に、プロトコル又は操作の指示をユーザにレビューするために必要な時間を減らす。したがって、ＳＣＡの生じた場面に最初に来た医学的に訓練されていない個人は、短時間で患者に治療的なショックを与え得る。
【０００４】
前述のように、現在利用可能な体外式除細動器は、しばしば、除細動器の動作中に除細動器操作者を支援するため、指示、状態情報又は他の情報を表示する。いくつかの体外式除細動器は、情報を表示することに加えて、又は情報を表示する代わりに、スピーカを通じて聞こえるようにこのような情報を知らせる。必ずしも同程度の堪能さでなくとも、１より多くの言語が一般に話される場所において、ユーザの示す言語の堪能さに応じて、可聴プロンプトの言語を適応させる除細動器を有する必要がある。この必要性は、特に救助者がどの言語を話し得るかという事前知識のない公共区域に配置される除細動器にとって深刻である。多言語除細動器の必要性が特に深刻な多くの場所がある。米国南部には、例えば、もっぱら英語又はスペイン語を話す多数の人々がいる。フランス系カナダにも、もっぱら英語又はフランス語を話し得る集団がいる。ヨーロッパでは、多くのヨーロッパの言語が小さな領域において共存し、除細動器において設定される言語とは異なる言語を話す救助者の可能性が高まる。
【０００５】
その結果、異なる言語で除細動器の動作の可聴指示及び情報を提供し得る体外式除細動器が開発されている。これらの除細動器は、１より多くの言語に対する可聴指示を予めプログラムされ、ここから１つの言語に対する可聴指示が選択される。可聴指示及び情報が提供される言語の選択は、通常、除細動器のフロントパネルのボタン制御部、又は除細動器の動作の間になされる除細動器プロンプトに対するユーザの応答を通じて、ユニットの立ち上げの間、除細動器の配置の前になされる。例えば、（モーガンらによる）米国特許ＵＳ６，１５４，６７３及び（モーガンらによる）米国特許ＵＳ６，６１１，７０８を参照されたい。
【０００６】
除細動器の操作についての可聴指示が異なる言語で除細動器において利用可能であり得る一方、可聴指示を受ける言語のうちの１つを選択する選択プロセスが、素人の救助者の気を散らすことがあり得、実行にも時間がかかる。高いストレスの救助の間、更に時間がかかること、又は素早い除細動を患者に適用する作業から注意を逸らすことは、単に成功する見込みを低下させる。従って、指示のための言語がすばやく選択され得、患者の救出にほとんど干渉しない多言語使用の除細動器に対するニーズがある。更に、救助者が望ましくない言語選択をする場合、すばやく復帰できることが望ましい。
【発明の概要】
【発明が解決しようとする課題】
【０００７】
本発明は、いくつかの言語のうちの１つの選択において、除細動器の動作に聴覚及び／又は視覚的なプロンプトを提供し得る多言語使用の除細動器に関する。
【課題を解決するための手段】
【０００８】
除細動器は、第１の（デフォルト）言語で作動するようにプログラムされる。救助の最初において、救助者は、プロンプトに第２言語を選択するため、例えば除細動器のボタンを押すような動作を取るように第２言語でプロンプトを出される。救助者が特定の動作をする場合、除細動器は、第２言語で救助を続ける。救助者が所定の時間内に特定の動作をしない場合、救助はデフォルト言語で継続する。本発明の更なる態様に従って、第２言語が不注意に選択される場合、ユーザはデフォルト言語に戻る機会を与えられる。
【図面の簡単な説明】
【０００９】
【図１】図１は、本発明の一実施例による体外式除細動器の斜視図である。
【図２】図２は、本発明の原理に従って除細動器の言語を選択する手順のフローチャートである。
【図３】図３は、本発明により構成される除細動器の一部の機能的なブロック線図である。
【図４】図４は、本発明により構成される除細動器のより詳細なブロック図である。
【図５】図５は、本発明の原理に従って除細動器の言語を選択する手順のより詳細なフローチャートである。
【図６】図６は、本発明の更なる態様に従って動作するように構成されるＡＥＤの斜視図である。
【図７】図７は、本発明による不注意な言語選択を訂正する方法のフローチャートである。
【発明を実施するための形態】
【００１０】
本発明による除細動器のいくつかの実施例は、以下で説明される。一実施例において、ＡＥＤは、デフォルト言語及び１つの代替の言語を備える。救助が開始するとき、ＡＥＤはデフォルト言語で第１プロンプトを出す。操作者の応答を待っている後続の遅延期間の間、可聴指示が第２言語で出て、残りの救助プロンプトを第２言語に切り替えるためにボタンを押すようにユーザに指示する。ボタンが押されない場合、救助はデフォルト言語で継続する。他の実施例において、ＡＥＤは、救助の適当な部分の間のみ言語選択用にアクティベートされる多機能情報ボタンを備える。情報ボタンは、これがアクティブであることを示すために点灯され得る。他の実施例では、ＡＥＤは、第２言語で救助を続けるために除細動器のいずれかのボタンも押すような指示を第２言語で出す。例えば電極パッドパッケージを開くデフォルト言語のプロンプトの直後、ユーザが除細動器のボタンを作動させるように促されていない場合、この指示が与えられる。
【００１１】
図１は、本発明の体外式除細動器の一例を図示し、ここで代替の言語の選択が、体外式除細動器において可能にされる。この実施例は、救助の間、デフォルト言語を維持する大多数のユーザに対して、第２言語を選択するための気を散らすことを最小化する。したがって、除細動の遅れは減少され、言語選択機能によってもたらされる救助エラーの可能性は最小化される。図１において、ＡＥＤ１０は、上半分のケース部１２ａ及び下半分のケース部１２ｂからなるポリマケース１２において示される。ＡＥＤ１０は、オン／オフボタン１４、ショックボタン１８、多機能情報ボタン１６、及び操作モードキースロット３４を有する。除細動に対して、一対の電極（図示略）は、電極ソケット２２を介してＡＥＤ１０に接続される。この例では、ＡＥＤ１０は、液晶ディスプレイ２０も備える。
【００１２】
この例では、ＡＥＤ１０は、最初にオン／オフボタン１４を押すことによって、救助するユーザにより起動される。スピーカ２６からの最初の可聴プロンプトは、救助を開始する。最初の可聴プロンプトは、デフォルト言語、例えば英語であり得、ユーザに例えば「患者の胸部から衣服を取り除く」又は従うべき特定の救助プロトコルに関する同様の命令により救助を始めるように促し得る。ユーザ応答のために続いて休止する間、ＡＥＤ１０は、代替の言語、例えばスペイン語で「［代替の言語］にするには、情報ボタンを押す」のような命令を出す。ＡＥＤは、それから情報ボタン１６を起動させ、これは、光り始める。ユーザが応答して情報ボタン１６を押す場合、救助は代替の言語でされるプロンプトで続行する。ユーザ応答がタイムアウト期間の前に検出されない場合、救助はデフォルト言語で継続する。オプションとして、第１のデフォルト言語の救助命令に対して適切なユーザ応答がＡＥＤ１０によって検出される場合、救助はデフォルト言語で継続する。例えば最初のプロンプトが「電極コネクタを電極ソケットに差し込む」というものであり、電極コネクタがソケットに差し込まれていることをＡＥＤが検出した場合、ＡＥＤは、ユーザが第１言語のプロンプトを理解し、指示された動作を適切に実行したと認識して、第１言語で後続の全てのプロンプトを生成するであろう。
【００１３】
代替の言語のユーザ選択は、他の手段、例えばキースロット３４に挿入される言語キー（図示略）を介して、又は言語に特有の電極の特別なセットをソケット２２に差し込むこと、若しくは専用の言語選択キー２８を押すことによっても入力され得る。好ましい可聴プロンプトを使用する代わりに、本発明の実施例は、ディスプレイ２０に視覚的プロンプトを更に、又は代替として出し得る。
【００１４】
図２は、本発明により除細動器の言語を選択するステップの１シーケンスを図示する。ステップ５０において、救助者は、オン／オフボタン１４を押すことによって、除細動器を起動する。ステップ５２において、除細動器は、プロンプトに第２言語を選択するためにボタンを押すことを第２言語でユーザに促す。この指示を出した後、除細動器は、タイムアウト期間５４の間待ち、この間、言語選択指示への応答が、選択によって受け入れられるであろう。１つの可能性は、ユーザがステップ５６によって示されるタイムアウト期間にボタンを押すことである。この場合、除細動器は、６０において第２言語で後の全てのプロンプトを出し、救助が継続する。代替として、ユーザは、５８においてボタンを押さず、６２において、タイムアウト期間終了後にプロンプトが続く。この場合、救助は、第１言語で出されるプロンプトで継続する。
【００１５】
図３は、本発明により構成される除細動器システム２００の機能的なブロック線図である。除細動器システム２００は、電圧又は電流パルスを生成するためのエネルギー源１３４を含む。制御器２２０は、電極インタフェース２１４を通じて除細動器システム２００に接続される電極対２１６とエネルギー源１３４を選択的に接続及び切断するように、エネルギーデリバリシステム２１９を動作させる。電極２１６は、患者に電気療法を提供するため、患者２１８に付着して取り付けられ得る。除細動器システム２００は、手動体外式除細動器又はＡＥＤであり得る。
【００１６】
制御器２２０は、指示発生器２２２からの情報を使用して、プロトコルを実行する。指示発生器２２２は、視覚及び／又は聴覚指示を生成するために使用されるソフトウェアコードを含むＦＬＡＳＨ、ＥＥＰＲＯＭ、ＲＯＭ、又はＲＡＭのような第１メモリ２２４を含む。指示発生器２２２は、除細動器２００の動作のための可聴指示が利用可能である様々な言語に対するソフトウェアファイルを記憶する第２メモリ２２６を含む。代替の実施例において、指示発生器２２２は、ゲートアレイ又は他の制御論理も含み得る。他の実施態様において、第１及び第２メモリ２２４及び２２６は、単一のメモリ装置に含まれる。
【００１７】
指示は、図３に示される実施例における、視覚画像発生器２０及び可聴音声発生器２６からなる指示出力部２２８を介して、救助者に届けられる。視覚画像発生器２０は、とりわけ書面又は図面の表示として、視覚的なプロンプトをユーザに表示する。視覚画像発生器２０は、例えば従来の液晶（ＬＣＤ）ディスプレイであり得る。例えばＣＰＲ圧縮の供給を導くレートを有するリズミカルな音のような音を出す第２可聴音声発生器３０が、提供される。可聴音声発生器２６は、第２メモリ２２６に記憶される様々な言語ファイルのソフトウェアファイルから選択される言語で可聴命令を提供する。可聴命令は、除細動器２００の動作中のユーザに指示する言葉の命令を含む。
【００１８】
視覚画像発生器２０並びに第１及び第２可聴音声発生器２６及び３０の起動は、指示発生器２２２から受信される情報に応答して、制御器２２０によって制御される。制御器２２０及び指示発生装置２２２は、可聴音声発生器２２４から提供される除細動器指示の言語を決定する。更に、ユーザ入力２３６は、除細動器操作の指示に所望される言語を選択するため、指示発生器２２２と相互に作用し得る。図３に示される実施例では、ユーザ入力２３６は、制御器２２０を介して指示発生器２２２と相互に作用するボタンである。代替の実施例において、ユーザ入力は、直接指示発生器２２２と相互に作用し得る。
【００１９】
図４は、本発明により構成される体外式除細動器１００の詳細ブロック図である。この実施において、除細動器制御機能は、マイクロプロセッサユニット（ＭＰＵ）１０２、特定用途向け集積回路（ＡＳＩＣ）１０４及びシステムモニタ１０６に分けられる。
【００２０】
ＭＰＵ１０２は、１又はそれより多くのＥＰＲＯＭ、ＲＡＭ及びフラッシュＲＯＭメモリを含み得るメモリ１１４からこれに供給されるソフトウェア命令に従って、プログラムステップを実行する。ＭＰＵ１０２は、ショックボタン１８に関連するＬＥＤと、「触れるな」（ショック警告）表示部３２４に関するＬＥＤとを含むＬＥＤ制御部回路１１０を通じて、あるシステムＬＥＤの動作を制御する。ＭＰＵ１０２は、ブロック１１２により示されるようにシステム状態情報を受信し、温度センサ（図示略）からケース１２の内部の温度情報を受信し、トレーニングパッドがコネクタ２２に接続されるとき、センサから信号を受信する。トレーニングパッドセンサは、トレーニング電極パッドセットのコネクタに集積される小型磁石の磁場を検出するコネクタ２２と関連付けられる磁気センサであり得る。モードキーがＡＥＤユニットの動作を小児救助プロトコルに切り替えるためにスロット３４に挿入されるとき、又は言語選択キーが、上記のように特定の言語を選択するためにスロットに挿入されるとき、ＭＰＵも、スロット３４と関連するキーセンサからの信号に応答する。
【００２１】
ＡＳＩＣ１０４は、システムメモリ１１４に対するメモリマッピングを実施する。ＡＳＩＣ１０４は、クロック１０７によって計測され、ＡＥＤの使用の間、可聴指示を届けるスピーカ２６の制御もする。ＡＳＩＣ１０４は、処理の間、ユーザによるショックボタン１８の作動に応答して、ショックを与えることと、ＥＣＧフロントエンドシステム１２４との間のリレーを作動させ得る。ＡＳＩＣ１０４は、情報が利用可能であるという信号をユーザに送るため、情報ボタンと関連するＬＥＤを作動させ、情報ボタン１６を押すことによってアクセスされ得る。ＡＳＩＣは、ＩＲ（赤外線）データポート２４とのインタフェースも提供し、これを通じて新たなプログラム情報がＡＥＤユニットにロードされ得、救助データが他のデータストレージ又は分析システムに送信され得る。
【００２２】
システムモニタ１０６は、ＡＥＤ及びこの構成要素の自動自己診断を実行する。システムモニタ１０６は、自己試験が適切なシステム動作を示していることを示すようにステータスＬＥＤ１５を制御し、システムが適切に動作しないときに警報を提供するため、信号発信器３０を作動させる。適切な自己試験の詳細は、パワーズらによる米国特許ＵＳ５，８７９，３７４"External  Defibrillator  with  Automated  Self-Testing  Prior  to  Use,"で見つかり得、上記明細書は、本願に引用したものとする。システムモニタ１０６は、オン／オフスイッチ１４、情報ボタン１６、及び特定のタイプの電極パッド１３７の接続をＡＥＤユニットに信号送信するコネクタ２２と関連するセンサとの除細動器インタフェースでもある。システムモニタ１０６は、電源１３４から動作システム構成要素に電力を供給し、処置の間、治療的なショックのためのショック送達システムのキャパシタにエネルギーを供給するように電力管理サブシステム１３２を制御する。システムモニタ１０６は、除細動器のＥＣＧフロントエンド１２４ともインタフェースし、ショック送達システムが処置を必要とする患者ＥＣＧパターンの検出（及びショックボタン１８の作動）に応答してショックを送達することを可能にし、ショックの送達の前又は間に得られるショック送達状態情報（例えば患者インピーダンス）に応答して電極パッドコネクタ２２へのショックの供給を制御する。この最後の機能に関する更なる情報は、Glinerらによる米国特許ＵＳ５，７３５，８７９"Electrotherapy  Method  for  External  Defibrillators,"及びCameronらによる米国特許ＵＳ５，６０７，４５４"Electrotherapy  Method  and  Apparatus,"において見つけられ得、これらは、本願に組み込まれる。
【００２３】
図５は、本発明の原理により除細動器の言語を選択する詳細な手順を説明するフローチャートである。ステップ５０において、救助者は、例えばオン／オフボタン１４で除細動器をオンにすることにより、救助を開始するためにＡＥＤを起動させる。６４において、最初の救助指示、例えば「患者の胸部から衣服を取り除く」は、第１言語で救助者に出される。それから５２において、言語選択ボタンを押すことによって第２言語の使用を選択するようにユーザに指示する第２プロンプトが、第２言語で出される。このボタンは、多機能入力、例えば情報ボタン１６、又は専用の言語選択ボタン２８であり得る。６６において、言語選択ボタンは、ボタンの押し下げで言語選択をするように起動される。言語選択ボタンも、このとき点灯又はオン／オフに点滅させることにより、救助者に対して強調され得る。それから６８において、システムは、言語選択のためボタンを監視する。
【００２４】
７０において、第２言語が選択される場合、７２においてＡＥＤは、第２言語で後続のプロンプトを出すことにより救助を続ける。ＡＥＤが言語選択ボタンを監視する際、これは、第１言語で出された最初の指示に対する救助者による応答も（可能であれば）監視する。７４において反応が検出される場合、７６において言語選択ボタンが、言語選択に対して使用不能にされ、救助は、第１言語で与えられる指示で継続する。第１指示への適切な応答が受信されない場合、言語選択のための期間が８０において終了するまで、ＡＥＤは、アクティブな言語選択ボタンの監視を継続する。期間がタイムアウトしない場合、言語選択の監視は、６８において継続するが、期間が言語選択なしでタイムアウトした場合、言語選択ボタンは、７６において使用不能にされ、７８において第１言語で続くことを促す。
【００２５】
図６は、本発明の原理に従って構成されるＡＥＤ３００を図示し、ここでは、多機能ボタンが言語選択に使用され、第１指示に対する正しい反応が、言語選択期間を終了させ、最初の（デフォルト）言語で救助を続ける。ＡＥＤ３００は、ケース内部の電子回路を保護し、素人ユーザをショックから保護する頑丈なポリマケース１２に収容される。一対の電極パッドが、電気リード線によってケース１２に取り付けられる。この例では、電極パッドは、ＡＥＤ３００の上側の凹部に位置されるカートリッジ３１４において密閉された中にある。電極パッドは、電極パッドを覆うプラスチックカバーの除去を可能にする緑色のリリースハンドル３１６を引き出すことにより、使用するためにアクセスされる。小さい使用可能ライト３１８は、ユーザに対してＡＥＤの救助の準備が整ったことを知らせる。この例では、使用可能ライトは、ＡＥＤが適切に設定され、使用する準備が整った後に点滅する。ＡＥＤが使用中のとき、使用可能ライトは、常についており、ＡＥＤが注意を必要とするとき、使用可能ライトはオフとなる。
【００２６】
オン／オフボタン１４は、使用可能ライト３１８の下である。オン／オフボタンは、使用の際、ＡＥＤをオンにするために押される。ＡＥＤをオフにするため、ユーザは、１秒又はそれより長くオン／オフボタンを押し下げる。情報がユーザに利用可能であるとき、情報ボタンが点灯し、そうでなければ情報ボタンが言語選択に利用可能である。ユーザは、利用可能な情報にアクセスするためにこの多機能ボタンを押し、前のフローチャートにおいて図示されるように、言語選択期間の間に、これを押し得る。注意ライト３２４は、ＡＥＤが患者から鼓動情報を得るときに点滅し、ショックが勧められるときに連続的に点灯して、救助者及び他の人に対して、これらの期間に、誰も患者に触れるべきでないという警告を出す。心臓の信号が取得される間、患者との相互作用は、検出されたＥＣＧ信号に望ましくないアーチファクトをもたらし得る。ショックボタン１８は、ショックが助言されることをＡＥＤが救助者に知らせた後、ショックを与えるために押される。ＡＥＤ側の赤外線ポート２４は、ＡＥＤとコンピュータとの間でデータ転送をするために使用される。このデータポートは、患者が救助された後で使用されるとわかり、医師は、詳細な分析のために自身のコンピュータにＡＥＤ事象データをダウンロードすることを望む。スピーカ２６は、患者を治療するため、ＡＥＤの使用を通じて救助者を導くように救助者に音声指示を提供する。ＡＥＤが、例えば電極パッド交換又は新たなバッテリのような注意を必要とするとき、これを知らせる（chirp）信号発信器３０が提供される。
【００２７】
使用中、ユーザがＡＥＤ３００を起動した後、救助者に対して「電極カートリッジを解放するために緑のハンドル［３１６］を引く」ことを指示する最初のプロンプトが第１言語で出される。このすぐ後、「［第２言語］を選択するには、点灯している情報ボタン［１６］を押す」という第２プロンプトが第２言語で出される。救助者が（第１言語で出された）第１プロンプトに対してハンドル３１６を引き上げることにより応答する場合、ＡＥＤは、救助者が第１言語の指示に正しく応答することを認識して、第１言語でプロンプトを出すことを継続する。ＡＥＤは、例えばハンドルの下、又はハンドル３１６が引き上げられるときに自動的に開閉するハンドルヒンジにあるばね式スイッチにより、ハンドル３１６が引かれたことを検出し得る。しかしながら、救助者が、第２言語を選択するため、光っている多機能情報ボタンを押すことにより第２プロンプトに応答する場合、ＡＥＤは、第２言語で次のプロンプトを出す。これらのイベントのどちらも起こらず、言語選択の期間がタイムアウトする場合、ＡＥＤは、第１言語で救助を続け、救助者が電極パッドにアクセスするためにハンドル３１８を引き上げる（又は、第２言語を選択する）まで、第１プロンプト（及びオプションとして、第２プロンプト）を再度出す。
【００２８】
本発明の更なる態様によると、第２言語が不注意で選択された場合、救助者が第１（デフォルト）言語に復帰することを可能にすることもあり得る。７２（図５）においての第２言語に変更した後、「［第１言語］で続けるため、点灯中の情報ボタン［１６］を押す」ことを救助者に指示するプロンプトが、９１ａにおいて第１（デフォルト）言語で出され得る。図７の８２に示されるように、プロンプトは、選択された第２言語で継続するが、言語選択（情報）ボタンは、これが第１言語のプロンプトに戻すために押されることを可能にするため、一定の期間起動される。ＡＥＤは、８４において第１（デフォルト）言語への復帰を監視するが、９０においてボタンを押すことなく言語復帰期間がタイムアウトした場合、９２において救助は、第２言語のプロンプトで継続する。しかしながら、８６において第１言語に復帰するためにボタンが押される場合、ＡＥＤは、８８において第１言語に復帰し、７６において言語選択ボタンを無効にする。
それからプロンプトが、第１言語で継続する。
【００２９】
図６のＡＥＤの記載に戻って参照すると、復帰が必要とされる１つのシナリオは、以下の通りである。救助者が第２でなく第１言語に堪能であり、電極パッドカートリッジ３１４を解放するためにハンドル３１６を正しく引くことによって、第１言語の第１プロンプトに応答したと仮定する。こうする間、ＡＥＤは、第２言語で言語変更プロンプトを出す。しかしながら、一方、電極パッドカートリッジを解放することに従事する救助者は、このプロンプトを聞かないか、又は聞こえたとしても理解し得ない。救助者は、それから情報ボタンが点灯しているのを見て、これはＡＥＤが役立つ情報を出そうとする信号だと考えて、情報ボタンを押す。しかしながら、情報ボタンは、依然として言語選択期間にあり得、点灯は、情報ではなく言語選択のボタンを示す。したがって、ＡＥＤは、不注意にも第２言語に切り替えられるであろう。しかし、第１言語及び図７のシーケンスに戻るプロンプトは、救助者がほとんど時間を失うことなく、すばやく第１言語に戻る（又は、第２言語に堪能な救助者が救助を続ける）ことを可能にするであろう。
【００３０】
前述のものの変形例は、当業者に直ちに思いつくであろう。例えば除細動器は、例えば第１及び第２言語のみより多くによって動作し得る。本発明は、これらの状況において、１より多くの代替の言語選択から選択することを可能にするように実施され得る。他の例として、ユーザが代替の言語を選択するように作用するように指示されるユーザ制御は、除細動器のユーザ制御のいくつか又は全てさえも有し得る。例えばユーザは、後続のプロンプトに対して代替の言語を選択するため、除細動器のいずれかのボタンを押すことを指示され得る。除細動器は、それから、代替の言語を選択することによって、言語選択期間にいずれかのボタンを押すことに応答するであろう。
【図１】
2010508941.tif 000003
【図２】
2010508941.tif 000004
【図３】
2010508941.tif 000005
【図４】
2010508941.tif 000006
【図５】
2010508941.tif 000007
【図６】
2010508941.tif 000008
【図７】
2010508941.tif 000009
【国際調査報告】
2010508941.tif 000010
2010508941.tif 000011
2010508941.tif 000012